(57)【要約】  材料サンプルを真贋判定するためのシステム及び方法が提供される。実質的に同じ組成を含み、実質的に同じプロセスによって製造される一群の材料サンプルに対して、特有の特徴が測定される。測定された特有の特徴は、統計的パラメータを抽出するために分析されるそれぞれの変動性を有する。いくつかの場合には、一群の材料サンプルに対して抽出された統計的パラメータに基づいて基準範囲が決定される。試験用材料サンプルの対応する統計的パラメータは、試験用材料サンプルが真正であるかどうかを確証するために基準範囲と比較される。
2018511029.tif 000002
【特許請求の範囲】
【請求項１】
材料サンプルを真贋判定する方法であって、
複数の材料サンプルに関する１又は複数の特有の特徴を測定することであって、前記複数の材料サンプルが、実質的に同じ組成を含み、実質的に同じプロセスによって製造される一群の材料サンプルであり、前記一群の材料サンプルに関する前記１又は複数の特有の特徴がそれぞれの変動性を有する、ことと、
前記それぞれの変動性を分析して、前記材料サンプルの各々に対して１又は複数の統計的パラメータを抽出することとを含む、方法。
【請求項２】
前記一群の材料サンプルに対して、前記抽出された統計的パラメータに基づいて基準範囲を決定することを更に含む、請求項１に記載の方法。
【請求項３】
真贋判定すべき試験用材料サンプルの前記１又は複数の特有の特徴を測定して、前記試験用材料サンプルの１又は複数の統計的パラメータを取得することと、前記取得された１又は複数の統計的パラメータと前記決定された基準範囲とを比較することとを更に含む、請求項２に記載の方法。
【請求項４】
前記取得された１又は複数の統計的パラメータが前記基準範囲内にある場合、前記サンプルが本物と判定される、請求項３に記載の方法。
【請求項５】
前記１又は複数の材料特性を測定することが、前記一群の材料サンプルの各々に対して１又は複数のデジタル画像を取得することと、前記取得されたデジタル画像から前記それぞれの変動性を抽出することとを含む、請求項１に記載の方法。
【請求項６】
前記抽出された変動性に基づいて複数の基底関数を生成することを更に含む、請求項５に記載の方法。
【請求項７】
真贋判定すべき試験用材料サンプルに対して１又は複数のデジタル画像を取得することと、前記複数の基底関数のサブセットを使用して前記デジタル画像を再構成することとを更に含む、請求項５に記載の方法。
【請求項８】
前記複数の基底関数が、主成分分析（ＰＣＡ）を使用して生成される、請求項６に記載の方法。
【請求項９】
前記１又は複数の特有の特徴が、光学的特徴、音響的特徴、弾性的特徴、構造的特徴、電子的特徴、磁気的特徴、エレクトレットに関連する特徴、又は機械的特徴を含む、請求項１に記載の方法。
【請求項１０】
前記一群の材料サンプルが、一群の研磨剤、光学フィルム、及び不織材から選択される、請求項１に記載の方法。
【請求項１１】
自動化された偽造防止の方法であって、
材料のパッチを試験対象物の可視表面内の所定の位置に組み込むことであって、前記材料のパッチが、実質的に同じ組成の、同じプロセスで製造された一群の材料から生じたものであり、前記一群の材料に関する特有の特徴は、互いと異なるそれぞれの変動性を有する、ことと、
前記一群の材料の各々に対して１又は複数のデジタル画像を取得することと、
前記取得されたデジタル画像から前記変動性を抽出することと、
前記抽出された変動性に基づいて複数の基底関数を生成することと、
試験対象物中の前記所定の位置に組み込まれている前記材料のパッチに対してデジタル画像を取得することと、
前記複数の基底関数のサブセットを使用して、前記材料のパッチに対して前記デジタル画像を再構成することとを含む、方法。
【請求項１２】
前記再構成に関する再構成誤差を評価することと、前記再構成誤差が所定の値より小さいとき、前記試験対象物を真正であると認定することとを更に含む、請求項１１に記載の方法。
【請求項１３】
前記一群の材料が、一群の多層光学フィルム又は一群の不織材を含む、請求項１１に記載の方法。
【請求項１４】
前記一群の多層光学フィルムが、一群のフレームエンボス加工フィルム、ミラーフィルム、又は波長固有フィルタフィルムから選択される、請求項１３に記載の方法。
【請求項１５】
材料サンプルを真贋判定するためのシステムであって、
複数の材料サンプルに関する１又は複数の特有の特徴を測定するように構成された測定構成要素であって、前記複数の材料サンプルが、実質的に同じ組成を含み、実質的に同じプロセスによって製造される一群の材料サンプルであり、前記一群の材料サンプルに関する前記１又は複数の特有の特徴がそれぞれの変動性を有する、測定構成要素と、
前記それぞれの変動性を分析して前記材料サンプルの各々に対して１又は複数の統計的パラメータを抽出するように構成された計算構成要素とを備える、システム。
【請求項１６】
前記計算構成要素が、前記一群の材料サンプルに対して、前記抽出された統計的パラメータに基づいて基準範囲を決定するように構成される、請求項１５に記載のシステム。
【請求項１７】
前記測定構成要素が、真贋判定すべき試験用材料サンプルの前記１又は複数の特有の特徴を測定して、前記試験用材料サンプルの１又は複数の統計的パラメータを取得するように構成され、前記計算構成要素が、前記取得された１又は複数の統計的パラメータと前記決定された基準範囲とを比較するように構成される、請求項１６に記載のシステム。
【請求項１８】
前記測定構成要素がカメラを含む、請求項１５に記載のシステム。
【請求項１９】
前記１又は複数の特有の特徴が、光学的特徴、音響的特徴、弾性的特徴、構造的特徴、電子的特徴、磁気的特徴、エレクトレットに関連する特徴、又は機械的特徴を含む、請求項１５に記載のシステム。
【請求項２０】
前記一群の材料サンプルが、一群の研磨剤、光学フィルム、及び不織材から選択される、請求項１５に記載のシステム。
【発明の詳細な説明】
【技術分野】
【０００１】
本開示は、材料特性の統計量、たとえば一群の材料サンプルの材料特性に基づいて材料サンプルを真贋判定することに関する。
【背景技術】
【０００２】
偽造は世界的な問題である。商品、製品又は材料を真贋判定するための様々なシステム及び方法が説明される。米国特許出願第２００４／１９７５３５号、米国特許第７，４９５，２１４号、米国特許第７，７０６，７００号、及び米国特許第７，７１５，７３３号は、商品、製品又は材料の偽造に対処し、それらを真贋判定するための様々な技法を記載する。
【発明の概要】
【０００３】
多数の産業及び分野において、材料、商品又は製品を効率的にかつ高コスト効率で真贋判定することが要望されている。産業及び分野として、パスポート及びＩＤカードなどのセキュリティ資料、医療用テープ又はドレープ、呼吸マスク、フィルタ、光学フィルム、絶縁材料、研磨ディスク又はサンドペーパーなどが挙げられるが、これらに限定されない。多くの材料サンプルは、それらの特性に固有の物理的変動性を有する。一群の材料サンプルは、異なる材料特性又は特徴を示す場合があるが、材料特性又は特徴の統計量及び／又はパラメータは、サンプル間ではそれほど変化しない場合がある。簡潔には、一態様では、本開示は、材料サンプル中に存在する物理的変動性の統計量及び／又はパラメータを使用することによって材料サンプルを真贋判定するためのシステム及び方法を説明する。
【０００４】
本明細書で説明する「一群の材料サンプル」という用語は、実質的に同じ組成を含む、及び／又は実質的に同じプロセスによって製造される複数の材料サンプルを指す。
【０００５】
一態様では、材料サンプルを真贋判定する方法は、複数の材料サンプルに関する１又は複数の特有の特徴を測定することを含み、ここで複数の材料サンプルは、実質的に同じ組成を含み、実質的に同じプロセスによって製造される一群の材料サンプルである。一群の材料サンプルに関する１又は複数の特有の特徴は、それぞれの変動性を有する。方法は、それぞれの変動性を分析して、材料サンプルの各々に対して１又は複数の統計的パラメータを抽出することを更に含む。
【０００６】
別の態様では、自動化された偽造防止の方法は、試験対象物の可視表面内の所定の位置に材料のパッチを組み込むことを含む。材料のパッチは、実質的に同じ組成の、同じプロセスで製造された一群の材料から生じたものである。一群の材料に関する特有の特徴は、互いと異なるそれぞれの変動性を有する。方法は、一群の材料の各々に対して１又は複数のデジタル画像を取得することと、取得されたデジタル画像から変動性を抽出することと、抽出された変動性に基づいて複数の基底関数を生成することと、試験対象物中の所定の位置に組み込まれている材料のパッチに対するデジタル画像を取得することと、複数の基底関数のサブセットを使用して材料のパッチに対するデジタル画像を再構成することとを更に含む。
【０００７】
別の態様では、材料サンプルを真贋判定するためのシステムは、複数の材料サンプルに関する１又は複数の特有の特徴を測定するように構成された測定構成要素を含む。複数の材料サンプルは、実質的に同じ組成を含み、実質的に同じプロセスによって製造される一群の材料サンプルである。一群の材料サンプルに関する１又は複数の特有の特徴は、それぞれの変動性を有する。システムは、それぞれの変動性を分析して材料サンプルの各々に対して１又は複数の統計的パラメータを抽出するように構成された計算構成要素を更に含む。
【０００８】
本開示の例示的実施形態では、様々な予期せぬ結果及び利点が得られる。本開示の例示的な実施形態の１つのそのような利点は、物理的変動性の統計量及び／又はパラメータの使用により、材料を組み込んでいる材料又は商品／製品をリアルタイムで真贋判定するための独特で高コスト効率の方法を提供し得ることである。本明細書で説明する実施形態は、試験されるべき材料の一意のシグネチャーを検証することを必要としない。代わりに、本明細書では、システム及び方法は、材料に固有の材料特性／特徴を評価することによって材料サンプルを真贋判定することを提供する。
【０００９】
例示的実施形態の列挙
例示的実施形態を以下に列挙する。実施形態Ａ〜Ｋ、Ｌ〜Ｐ及びＱのいずれかが組み合わされ得ることを理解されたい。
【００１０】
実施形態Ａ．材料サンプルを真贋判定する方法は、
複数の材料サンプルに関する１又は複数の特有の特徴を測定することであって、複数の材料サンプルが、実質的に同じ組成を含み、実質的に同じプロセスによって製造される一群の材料サンプルであり、一群の材料サンプルに関する１又は複数の特有の特徴がそれぞれの変動性を有する、ことと、
それぞれの変動性を分析して、材料サンプルの各々に対して１又は複数の統計的パラメータを抽出することとを含む。
【００１１】
実施形態Ｂ．実施形態Ａの方法は、一群の材料サンプルに対して抽出された統計的パラメータに基づいて基準範囲を決定することを更に含む。
【００１２】
実施形態Ｃ．実施形態Ｂの方法は、真贋判定すべき試験用材料サンプルの１又は複数の特有の特徴を測定して、試験用材料サンプルの１又は複数の統計的パラメータを取得することと、取得された１又は複数の統計的パラメータと決定された基準範囲とを比較することとを更に含む。
【００１３】
実施形態Ｄ．実施形態Ｃの方法であって、取得された１又は複数の統計的パラメータが基準範囲内にある場合、サンプルは本物と判定される。
【００１４】
実施形態Ｅ．任意の上記実施形態の方法であって、１又は複数の材料特性を測定することは、一群の材料サンプルの各々に対して１又は複数のデジタル画像を取得することと、取得されたデジタル画像からそれぞれの変動性を抽出することとを含む。
【００１５】
実施形態Ｆ．実施形態Ｅの方法は、抽出された変動性に基づいて複数の基底関数を生成することを更に含む。
【００１６】
実施形態Ｇ．実施形態Ｅ又はＦの方法は、真贋判定すべき試験用材料サンプルに対して１又は複数のデジタル画像を取得することと、複数の基底関数のサブセットを使用してデジタル画像を再構成することとを更に含む。
【００１７】
実施形態Ｈ．実施形態Ｆの方法であって、複数の基底関数は、主成分分析（ＰＣＡ）を使用して生成される。
【００１８】
実施形態Ｉ．任意の上記実施形態の方法であって、１又は複数の特有の特徴は、光学的特徴、音響的特徴、弾性的特徴、構造的特徴、電子的特徴、磁気的特徴、エレクトレットに関連する特徴、又は機械的特徴を含む。
【００１９】
実施形態Ｊ．任意の上記実施形態の方法であって、一群の材料サンプルは、一群の研磨剤、光学フィルム、及び不織材から選択される。
【００２０】
実施形態Ｋ．自動化された偽造防止の方法は、
材料のパッチを試験対象物の可視表面内の所定の位置に組み込むことであって、材料のパッチは、実質的に同じ組成の、同じプロセスで製造された一群の材料から生じたものであり、一群の材料に関する特有の特徴は、互いと異なるそれぞれの変動性を有する、ことと、
一群の材料の各々に対して１又は複数のデジタル画像を取得することと、
取得されたデジタル画像から変動性を抽出することと、
抽出された変動性に基づいて複数の基底関数を生成することと、
試験対象物中の所定の位置に組み込まれている材料のパッチに対するデジタル画像を取得することと、
複数の基底関数のサブセットを使用して材料のパッチに対するデジタル画像を再構成することとを含む。
【００２１】
実施形態Ｌ．実施形態Ｋの方法は、再構成に関する再構成誤差を評価することと、再構成誤差が所定の値より小さいとき、試験対象物を真正であると認定することとを更に含む。
【００２２】
実施形態Ｍ．実施形態Ｋ又はＬの方法であって、一群の材料は、一群の多層光学フィルム又は一群の不織材を含む。
【００２３】
実施形態Ｎ．実施形態Ｍの方法であって、一群の多層光学フィルムは、一群のフレームエンボス加工フィルム、ミラーフィルム、又は波長固有フィルタフィルムから選択される。
【００２４】
実施形態Ｏ．材料サンプルを真贋判定するためのシステムは、
複数の材料サンプルに関する１又は複数の特有の特徴を測定するように構成された測定構成要素であって、複数の材料サンプルが、実質的に同じ組成を含み、実質的に同じプロセスによって製造される一群の材料サンプルであり、一群の材料サンプルに関する１又は複数の特有の特徴がそれぞれの変動性を有する、測定構成要素と、
それぞれの変動性を分析して、材料サンプルの各々に対して１又は複数の統計的パラメータを抽出するように構成された計算構成要素とを備える。
【００２５】
実施形態Ｐ．実施形態Ｏのシステムであって、計算構成要素は、一群の材料サンプルに対して抽出された統計的パラメータに基づいて基準範囲を決定するように構成される。
【００２６】
実施形態Ｑ．実施形態Ｐのシステムであって、測定構成要素は、真贋判定すべき試験用材料サンプルの１又は複数の特有の特徴を測定して試験用材料サンプルの１又は複数の統計的パラメータを取得するように構成され、計算構成要素は、取得された１又は複数の統計的パラメータと決定された基準範囲とを比較するように構成される。
【００２７】
実施形態Ｒ．実施形態Ｏ〜Ｑのうちのいずれか１つのシステムであって、測定構成要素はカメラを含む。
【００２８】
実施形態Ｓ．実施形態Ｏ〜Ｒのうちのいずれか１つのシステムであって、１又は複数の特有の特徴は、光学的特徴、音響的特徴、弾性的特徴、構造的特徴、電子的特徴、磁気的特徴、エレクトレットに関連する特徴、又は機械的特徴を含む。
【００２９】
実施形態Ｔ．実施形態Ｏ〜Ｓのうちのいずれか１つのシステムであって、一群の材料サンプルは、一群の研磨剤、光学フィルム、及び不織材から選択される。
【００３０】
本開示の例示的実施形態の様々な態様及び利点が要約されてきた。上記の「発明の概要」は、それらの本開示の特定の例示的実施形態の、図示される各実施形態又は全ての実装を説明することを意図するものではない。以下の図面及び「発明を実施するための形態」は、本明細書に開示される原理を使用する特定の好ましい実施形態を、より詳細に例示するものである。
【図面の簡単な説明】
【００３１】
以下の本開示の様々な実施形態の詳細な説明を添付図面と併せて考慮することで、本開示のより完全な理解が可能である。
【図１】一実施形態による、材料サンプルを真贋判定するための方法のフロー図である。
【図２】一実施形態による、材料サンプルを真贋判定するシステムのブロック図を示す。
【図３Ａ】一実施形態による、材料サンプルの光学画像を示す。
【図３Ｂ】図３Ａの光学画像の画像ピクセルの強度値を示す。
【図４Ａ】一実施形態による、一群の材料サンプルのうちの第１の材料サンプルに対する光学画像を示す。
【図４Ｂ】図４Ａの光学画像の画像ピクセルの強度値を示す。
【図４Ｃ】一群の材料サンプルのうちの第２の材料サンプルに対する光学画像を示す。
【図４Ｄ】図４Ｃの光学画像の画像ピクセルの強度値を示す。
【図５Ａ】一実施形態による、一群の不織材サンプルに対する画像を示す。
【図５Ｂ】図５Ａの一群の不織材サンプルに対する光透過率の分布を示す。
【図６Ａ】試験用不織材サンプルの画像を示す。
【図６Ｂ】図６Ａの試験用不織材サンプルを、図５Ａの一群の不織材サンプルと比較することによって真贋判定することを示す。
【図７Ａ】不織材の材料サンプルの光学画像を示す。
【図７Ｂ】図７Ａの不織材サンプルに対するＰＣＡ画像パッチ辞書又は基底関数を示す。
【図８Ａ】フレームエンボス加工フィルムのサンプルの光学画像を示す。
【図８Ｂ】図８Ａのフレームエンボス加工フィルムのサンプルに対するＰＣＡ画像パッチ辞書又は基底関数を示す。
【００３２】
これらの図面中、同様の参照番号は、同様の要素を示す。上記で定義された図面は、一定の縮尺で描かれていない場合があり、本開示の様々な実施形態を示すものであるが、「発明を実施するための形態」で記述されるように、他の実施形態もまた想到される。全ての場合に、本開示は、本明細書で開示される開示内容を、明示的な限定によってではなく、例示的実施形態を表現することによって説明する。本開示の範囲及び趣旨の中に入る多くの他の修正形態及び実施形態が、当業者によって考案され得ることを理解されたい。
【発明を実施するための形態】
【００３３】
多くの材料サンプルは、それらの特性に固有の物理的変動性を有する。一群の材料サンプルは、異なる材料特性又は特徴を示す場合があるが、材料特性又は特徴の統計量及び／又はパラメータは、サンプル間ではそれほど変化しない場合がある。簡潔には、一態様では、本開示は、材料サンプル中に存在する物理的変動性の統計量及び／又はパラメータを使用することによって材料サンプルを真贋判定するためのシステム及び方法を説明する。
【００３４】
いくつかの実施形態では、材料サンプルを一群の材料サンプルの一メンバーとして真贋判定するためのシステム及び方法が提供される。すなわち、材料サンプルは、真正であるか又は偽造であるかを検証され得る。材料サンプルの真贋判定は、たとえば、材料サンプルの構造、下部構造、又はテクスチャなどにおける固有のランダム性の基本統計量に基づき得る。一実施形態では、材料サンプルが撮像され、材料サンプルの画像中に存在するランダム構造（又は下部構造若しくはテクスチャ）に関連する統計量が計算され、一群のそのような材料サンプルの材料特性をあらかじめ評価することによって生成された基準値と比較され得る。
【００３５】
図１は、一実施形態による、材料サンプルを真贋判定する方法１００を示す。１１０において、１又は複数の特有の特徴が、複数の材料サンプルに対して測定される。材料サンプルの各々は、実質的に同じ組成を含有し、及び／又は実質的に同じプロセスによって製造される一群の材料サンプルに属する。本明細書で説明する特有の特徴は、それぞれの変動性又は固有のランダム性を有する。たとえば、材料サンプルの光学画像は、材料サンプルの構造、下部構造、又はテクスチャに関連する場合がある様々な強度を有するピクセルを含み、それらの強度の固有のランダム性又は物理的変動性を反映する場合がある。特有の特徴は、たとえば、光学的特徴（たとえば、強度）、音響的特徴（たとえば、周波数吸収）、弾性的特徴（たとえば、弾性率）、構造的特徴（たとえば、形状）、電子的特徴（たとえば、抵抗）、磁気的特徴（たとえば、磁界強度）、エレクトレットに関連する特徴（たとえば、誘電体）、機械的特徴（たとえば、降伏強度）、などを含む場合がある。いくつかの実施形態では、一群の材料サンプルは、たとえば、一群の研磨剤、光学フィルム、及び不織材から選択され得、それらは、ミネソタ州セントポールの３Ｍ社から市販されている。次いで、方法１００は、１２０に進む。
【００３６】
１２０において、材料サンプルの特有の特徴の中に存在する変動性又はランダム性が、材料サンプルの各々に対して１又は複数の統計的パラメータを抽出するために分析される。いくつかの実施形態では、材料サンプルの光学画像中に存在する変動性は、様々な強度を有するピクセルとして分析され得、１又は複数の統計的パラメータが、様々な強度から抽出され得る。次いで、方法１００は、１３０に進む。
【００３７】
１３０において、１又は複数の基準範囲が、抽出された１又は複数の統計的パラメータに基づいて決定される。いくつかの実施形態では、一群の材料サンプルの抽出された統計的パラメータは、たとえば平均値及び分散を有する正規分布又はガウス分布などの分布を形成することができる。１又は複数の基準範囲が、分布に基づいて決定され得る。次いで、方法１００は、１４０に進む。
【００３８】
１４０において、試験用材料サンプルの１又は複数の特有の特徴を測定して、それらのサンプルの１又は複数の統計的パラメータを取得する。いくつかの実施形態では、試験用材料サンプルに関する統計的パラメータは、一群の材料サンプルの場合と同じようにして取得され得る。次いで、方法１００は、１５０に進む。
【００３９】
１５０において、試験用材料サンプルの取得された１又は複数の特有の特徴が、基準範囲のうちの１つと比較される。試験用材料サンプルの取得された１又は複数の特有の特徴が基準範囲内にある場合、１６０において、試験用材料サンプルは、真正の材料サンプルであると確証される。試験用材料サンプルの取得された１又は複数の特有の特徴が基準範囲内にない場合、１７０において、試験用材料サンプルは偽造であると確証される。
【００４０】
いくつかの実施形態では、デジタル画像が、一群の材料サンプルの各々に対して取り込まれ得、取得されたデジタル画像からの変動性が抽出され得、その変動性は、たとえば、以下で更に説明される図３Ａ〜図３Ｂ及び図４Ａ〜図４Ｄに示され得る。
【００４１】
いくつかの実施形態では、複数の基底関数が、抽出された変動性に基づいて生成され得る。試験用材料サンプルに対するデジタル画像が取り込まれ得、デジタル画像は、複数の基底関数のサブセットを使用することによって再構成され得る。いくつかの実施形態では、複数の基底関数は、主成分分析（ＰＣＡ）を使用して生成される。
【００４２】
いくつかの実施形態では、材料のパッチ（たとえば、フィルム材料）が、対象物の可視表面内の所定の位置に組み込まれ得る。材料のパッチは、一群の材料のうちの１つの材料から生じたものである場合がある。一群の材料は、実質的に同じ組成を含有し、同じプロセスにおいて製造される可能性があり、ここで一群の材料に関する特有の特徴は、互いと異なるそれぞれの固有のランダム性を有する。一群の材料の各々に対してデジタル画像が取得され得、取得されたデジタル画像から変動性又は固有のランダム性が抽出され得る。いくつかの実施形態では、複数の基底関数は、抽出された固有のランダム性に基づいて生成され得る。デジタル画像は、所定の位置にある試験対象物に対して取得され得る。いくつかの実施形態では、再構成誤差が、複数の基底関数のサブセットを使用して試験対象物に対するデジタル画像を再構成するために評価され得る。試験対象物は、再構成誤差が所定の値又はしきい値より小さいときに真正であると認定され得る。
【００４３】
いくつかの実施形態では、一群の材料は、一群の多層光学フィルム又は一群の不織材を含む。いくつかの実施形態では、一群の多層光学フィルムは、一群のフレームエンボス加工フィルム、ミラーフィルム、又は波長固有フィルタフィルムから選択される。
【００４４】
図２は、一実施形態による、たとえば方法１００を実施することによって材料サンプルを真贋判定するためのシステム２００を示す。システム２００は、測定構成要素２２４と、計算構成要素２２６と、１又は複数の入力／出力デバイス２１６とを含む。
【００４５】
測定構成要素２２４は、材料サンプルの１又は複数の特有の特徴／特性を測定するように構成される。測定構成要素２２４は、たとえば、光学的特徴、音響的特徴、弾性的特徴、構造的特徴、電子的特徴、磁気的特徴、エレクトレット、又は機械的特徴のうちの１又は複数を含む固有の変動性を有する材料特性を測定するための様々な測定ツールであり得る。いくつかの実施形態では、測定構成要素２２４は、たとえば、材料サンプルの１又は複数の画像を取り込むためのカメラを含み得る。
【００４６】
図２の実施形態では、計算構成要素２２６は、プロセッサ２１２とメモリ２１４とを含む。計算構成要素２２６は、測定構成要素２２４に機能的に接続され、測定された特有の特徴に関連する信号を測定構成要素２２４から受信し、受信された信号を分析することによって材料サンプルの各々に対する１又は複数の統計的パラメータを抽出する。次いで、プロセッサ２１２は、一群の材料サンプルに対して抽出された統計的パラメータに基づいて基準範囲を決定する。いくつかの実施形態では、プロセッサ２１２は、抽出された統計的パラメータの分布を決定し、その分布に基づいて１又は複数の基準範囲を取得することができる。
【００４７】
決定された基準範囲は、メモリ２１４に記憶され得る。いくつかの実施形態では、試験用材料サンプルを真贋判定するとき、試験用材料サンプルの１又は複数の対応する特有の特徴が、測定構成要素２２４によって測定され得る。計算構成要素２２６は、試験用材料サンプルの測定された特有の特徴に基づいて１又は複数の統計的パラメータを抽出し、抽出された統計的パラメータと基準範囲とを比較することができる。試験用材料サンプルの取得された１又は複数の特有の特徴が基準範囲内にある場合、計算構成要素２２６は、試験用材料サンプルが真正の材料サンプルであること、又は一群の材料サンプルから生じたものであることを確証し得る。試験用材料サンプルの取得された１又は複数の特有の特徴が基準範囲内にない場合、計算構成要素２２６は、試験用材料サンプルが真正でない、又は一群の材料サンプルから生じたものでないものと決定することができる。
【００４８】
いくつかの実施形態では、基準範囲は、抽出された統計的パラメータの比較が計算構成要素２２６によって処理されるときに、動的に更新、精緻化、又は処理される場合がある。
【００４９】
いくつかの実施形態では、測定構成要素２２４は、現場で作動し得るポータブルデバイスであってよい。測定構成要素２２４は、たとえば、信号を送信及び受信することによって、計算構成要素２２６などのリモートの計算デバイスとワイヤレスに通信することができる。計算構成要素２２６は、たとえばコンピュータ、サーバ、モバイルフォンなどと一体化されてもよい。計算構成要素２２６は、受信された材料特性信号を処理し、真贋判定情報を入力／出力デバイス２１６に送信し、入力／出力デバイス２１６に表示することができる。
【００５０】
メモリ２１４は、情報を記憶する。いくつかの実施形態では、メモリ２１４は、本明細書で説明する方法又はプロセスを実行するための命令を記憶し得る。いくつかの実施形態では、材料特性データが、メモリ２１４に事前記憶され得る。材料サンプルからの１又は複数の特性、たとえば光学的特徴、音響的特徴、弾性的特徴、構造的特徴、電子的特徴、磁気的特徴、エレクトレットに関連する特徴、又は機械的特徴が、材料特性データとして記憶されてよい。一群の材料サンプルに対して決定された基準範囲も、同様にメモリ２１４に記憶され得る。
【００５１】
メモリ２１４は、任意の揮発性又は不揮発性の記憶要素を含んでよい。例として、同期型ダイナミックランダムアクセスメモリ（ＳＤＲＡＭ）などのランダムアクセスメモリ（ＲＡＭ）、読取り専用メモリ（ＲＯＭ）、不揮発性ランダムアクセスメモリ（ＮＶＲＡＭ）、電気的消去可能プログラマブル読取り専用メモリ（ＥＥＰＲＯＭ）、及びフラッシュメモリが挙げられる。また、例として、ハードディスク、磁気テープ、磁気又は光学データ記憶媒体、コンパクトディスク（ＣＤ）、デジタル多用途ディスク（ＤＶＤ）、ブルーレイディスク、及びホログラフィックデータ記憶媒体が挙げられる。
【００５２】
プロセッサ２１２として、たとえば、１又は複数の汎用マイクロプロセッサ、専用設計のプロセッサ、特定用途向け集積回路（ＡＳＩＣ）、フィールドプログラマブルゲートアレイ（ＦＰＧＡ）、一群のディスクリート論理回路、及び／又は本明細書で説明する技法を実行できる任意のタイプの処理デバイスが挙げられる。いくつかの実施形態では、プロセッサ２１２（又は本明細書で説明する任意の他のプロセッサ）は、コンピューティングデバイスとして説明される場合がある。いくつかの実施形態では、メモリ２１４は、本明細書で説明するプロセス又は方法を遂行するためにプロセッサ２１２によって実行されるプログラム命令（たとえば、ソフトウェア命令）を記憶するように構成される場合がある。他の実施形態では、本明細書で説明するプロセス又は方法は、プロセッサ２１２の特別にプログラムされた回路によって実行されてよい。いくつかの実施形態では、プロセッサ２１２は、したがって、本明細書で説明する、材料サンプルを真贋判定するための技法を実行するように構成されてよい。プロセッサ２１２（又は本明細書で説明する他のプロセッサ）として、１又は複数のプロセッサが挙げられる。
【００５３】
入力／出力デバイス２１６として、情報をユーザ又は他のデバイスから入力するように、又はユーザ又は他のデバイスに出力するように構成された１又は複数のデバイスが挙げられる。いくつかの実施形態では、入力／出力デバイス２１６は、ユーザインターフェース２１８を提供することもあり、その場合、ユーザが材料サンプルの真贋判定を制御することができる。たとえば、ユーザインターフェース２１８は、視覚情報をユーザに提示するための表示画面を含む場合がある。いくつかの実施形態では、表示画面は、タッチセンシティブディスプレイを含む。いくつかの実施形態では、ユーザインターフェース２１８は、情報をユーザに提示するための１又は複数の異なるタイプのデバイスを含む場合がある。ユーザインターフェース２１８として、たとえば、任意の数の視覚的フィードバックデバイス（たとえば、表示デバイス、光など）、聴覚的フィードバックデバイス（たとえば、１又は複数のスピーカー）及び／又は触覚的フィードバックデバイス（たとえば、キーボード、タッチ画面、又はマウス）が挙げられる。いくつかの実施形態では、入力／出力デバイス２１６は、表示画面（たとえば、液晶ディスプレイ又は発光ダイオードディスプレイ）及び／又はプリンタ（たとえば、印刷デバイス又は命令を印刷デバイスに出力するための構成要素）のうちの１又は複数を表す場合がある。いくつかの実施形態では、入力／出力デバイス２１６は、本明細書で説明する実施形態を遂行するために、プロセッサ２１２によって実行されるプログラム命令（たとえば、ソフトウェア命令）を受領又は受信するように構成される場合がある。
【００５４】
システム２００は他の構成要素も含んでよく、プロセッサ２１２、メモリ２１４及び入力／出力デバイス２１６を含む例示された構成要素のうちのいずれかの構成要素の複数の機能が、複数の構成要素及びたとえばコンピュータなどの別個のデバイスにわたって分配されてもよい。システム２００は、ワークステーション、デスクトップコンピューティングデバイス、ノートブックコンピュータ、タブレットコンピュータ、モバイルコンピューティングデバイス、又は任意の他の好適なコンピューティングデバイス若しくは一群のコンピューティングデバイスとして構成されてもよい。システム２００は、ローカルネットワーク上で動作してもよく、又はクラウドコンピューティング環境内でホストされてもよい。図２に例示される構成要素は、単に、本開示の様々な態様を説明するために示されており、構成要素の追加又は削除は、当業者には明白であろう。
【００５５】
図３Ａ〜図３Ｂ及び図４Ａ〜図４Ｄは、いくつかの実施形態による、材料サンプルの光学画像中に存在する変動性又は固有のランダム性を提示し、分析することを示す。図３Ａは、材料サンプルに対して取り込まれた光学画像３２を示す。光学画像３２は、図３Ｂの表３４に示されるような様々な強度を有するピクセルを含み、その強度は、たとえば、構造、下部構造又は材料サンプルの表面上のテクスチャに関連する場合がある。光学画像３２は、たとえば、図２の測定構成要素２２４によって取り込まれ得る。ピクセルの様々な強度は、たとえば、下部構造の固有のランダム性又は材料サンプル表面のテクスチャを反映する。光学画像３２の例示的な部分３Ｂの中の画像ピクセルの強度値が、表３４に示される。強度値は、たとえば、図２の計算構成要素２２６によって０と１との間になるように正規化され得、配列ｍｘｎの中に記載される。光学画像３２の任意の部分又は光学画像３２の全ての部分が、対応する強度値を取得するために使用され得る。
【００５６】
１又は複数の統計的パラメータが、表３４に示されるような様々な強度の配列から抽出され得る。統計的パラメータは、たとえば、平均値、分散、歪度、位置母数、散布度母数、尺度母数、形状母数などを含み得る。
【００５７】
いくつかの実施形態では、様々な材料特性（たとえば、表３４中の強度）の配列は、数学における「モーメント」と見なされ得る。「モーメント」は、値又は点のセットの形状の特定の定量的測度である。たとえば、点が質量を表す場合、ゼロ番目のモーメントは全質量であり、１番目のモーメントを全質量で割ったものは質量の中心であり、２番目のモーメントは回転の慣性である。点が確率密度を表す場合、ゼロ番目のモーメントは全確率（すなわち、１）であり、１番目のモーメントは平均値であり、２番目のモーメントは分散であり、３番目のモーメントは歪度である。
【００５８】
図４Ａ及び図４Ｃは、それぞれ、第１の材料サンプルに対して取り込まれた光学画像４１、及び第２の材料サンプルに対して取り込まれた光学画像４２を示す。第１及び第２の材料サンプルは、同じ一群の材料サンプルからのものである。光学画像４１及び４２は、それぞれの材料サンプルの構造、下部構造又は表面上のテクスチャに関連する場合がある様々な強度を有するピクセルを、それぞれ含む。ピクセルの様々な強度は、下部構造又はそれぞれの材料サンプルの表面のテクスチャの固有のランダム性を反映する。光学画像４１及び４２のそれぞれの部分における画像ピクセルの強度値が、それぞれ、図４Ｂ及び図４Ｄの表４４及び表４５に示される。強度値は、０と１との間に正規化され、配列に記載される。表４４及び表４５の中の強度値は、互いと異なっている。そのような変動は、材料サンプルの特性の中の固有のランダム性、及び一群の材料サンプルを製造するためのプロセスにおける固有のランダム性を反映する。
【００５９】
１又は複数の統計的パラメータは、表４４及び表４５に示すような材料サンプルの各々に対する様々な強度から抽出され得る。統計的パラメータは、たとえば、平均値、平均値からの分散、位置母数、散布度母数、尺度母数、形状母数などを含み得る。
【００６０】
一群の材料サンプルＳ１、Ｓ２．．．ＳＮの場合、一連の統計的パラメータＰ１、Ｐ２．．．ＰＮが、それぞれの材料サンプルＳ１、Ｓ２．．．ＳＮに対して抽出され得る。統計的パラメータＰ１、Ｐ２．．．ＰＮは、たとえば、平均値、分散などを有する分布を形成し得る。その群は、分布を決定するのに十分な数Ｎの材料サンプルを含み得る。たとえば、数Ｎは、２以上、５以上、１０以上、２０以上、又は１００以上の整数であり得る。いくつかの実施形態では、群の中の材料サンプルが多いほど、分布はより正確になり得る。望ましい基準範囲は、統計的パラメータＰ１、Ｐ２．．．ＰＮの分布に基づいて決定され得る。試験用材料サンプルを真贋判定すべきとき、測定された特有の特徴から対応する統計的パラメータが抽出され、その統計的パラメータを、決定された基準範囲と比較して、試験用材料サンプルが真正であるかどうか又は一群の材料サンプルから生じたものであるかどうかを確証することができる。
【００６１】
図５Ａは、実質的に同じ組成を有し、実質的に同じプロセスによって製造されている、例示的な一群の不織材サンプルＳ１、Ｓ２．．．ＳＮに対する画像を示す。不織材サンプルの光透過率が、たとえば図２の測定構成要素２２４によって測定され、それぞれ、Ｔ１、Ｔ２．．．ＴＮとなっている。図５Ｂに示すように、一群の不織材サンプルについての光透過率の分布５０は、測定された光透過率（Ｔ１、Ｔ２．．．ＴＮ）に基づいて図２の計算構成要素２２６によって取得されたものである。分布５０は、平均値及び分散を有する。たとえば、図５Ｂに示すＲ１、Ｒ２及びＲ３などの様々な基準範囲が、真贋判定のためにそれぞれに事前設定された基準に従って分布５０から決定され得る。図５Ｂに示す実施形態では、分布５０は、実質的に正規分布又はガウス分布である。分布５０は、たとえば、指数族分布又はＳｔｕｄｅｎｔのｔ−分布など、他のタイプの分布であり得ることを理解されたい。
【００６２】
図６Ａは、真贋判定すべき不織材試験サンプル６２に対する画像を示す。いくつかの実施形態では、試験サンプル６２が真正であるかどうか、すなわち試験サンプル６２が一群の材料サンプルから生じたものであるかどうか、又は同じ組成を有するかどうか、及び図５Ａの一群の不織材サンプルＳ１、Ｓ２．．．ＳＮと同じプロセスによって製造されたかどうかを決定するために、試験サンプル６２の平均光透過率Ｔａｖｅが測定され、分布５０の所望の基準範囲（たとえば、Ｒ１、Ｒ２又はＲ３）と比較され得る。試験サンプル６２の平均光透過率Ｔａｖｅが所望の基準範囲内に入る場合、試験サンプル６２は真正であると確証され、そうでない場合、試験サンプル６２は、偽造であるものと決定される。
【００６３】
他の実施形態では、一連の光透過率の測定が、試験サンプル６２に対して実施され得る。たとえば、試験サンプル６２の様々な局部領域が、それらの領域の光透過率を測定するためにランダムに選択され得る。試験サンプル６２からの一連の光透過率の測定により、試験サンプル６２に対して図６Ｂに示すような光透過率の分布６０を形成する一連の光透過率の値を得ることができる。図６Ｂの実施形態では、分布６０は、実質的に正規分布又はガウス分布である。試験サンプル６２が真正であるかどうか又は一群の不織材サンプルＳ１、Ｓ２．．．ＳＮから生じたものであるかどうかを決定するために、分布６０が、平均値及び分散に関して分布５０と比較され得る。いくつかの実施形態では、分布は、たとえば、当技術分野で知られているコルモゴロフ−スミルノフ検定などの適切な統計的仮説検定を使用することによって比較され得る。
【００６４】
いくつかの実施形態では、真贋判定すべき試験用材料サンプルの１又は複数の画像が、たとえば、標準的光学カメラなどの測定構成要素２２４によって取り込まれ得る。取り込まれた１又は複数の画像は、画像「辞書」又は基底関数を用いて再構成され得る。画像「辞書」又は基底関数は、一群の真正な材料サンプルから事前取得され得る。画像「辞書」又は基底関数は、たとえば主成分分析（ＰＣＡ）によって生成され得、材料データとしてメモリ２１４に記憶され得る。いくつかの実施形態では、試験用材料サンプルの１又は複数の画像は、基底関数の選択されたサブセットから再構成され得る。再構成された画像は、再構成誤差を決定するために計算構成要素２２６によって評価され得る。再構成誤差は、試験用材料サンプルが一群の真正な材料サンプルにどれほど似ているかを評価するために使用され得る。たとえば、再構成誤差が所定の誤差より大きい場合、試験用材料サンプルは、真正でないと見なされる。
【００６５】
いくつかの実施形態では、基底関数をＰＣＡを介して取得するためのプロセスは、たとえば、１つの画像を複数の画像パッチ（たとえば、２０×２０ピクセルパッチ）に分離することと、画像パッチをベクトル化する（たとえば、パッチを４００×１ベクトルに変換する）ことと、ベクトルをデータマトリクスに配列する（たとえば、ベクトルを連結して４００×パッチ数のマトリクスにする）ことと、データマトリクスの主成分を決定するために特異値分解を使用することと、主成分ベクトルを元の画像パッチに変換することとを含み得る。
【００６６】
いくつかの実施形態では、画像を再構成するためのプロセスは、たとえば、再構成において使用するために主成分のサブセット（典型的には特定のしきい値に対する最初のＮ個の主成分）を決定することと、新しい画像を対応する画像パッチに区分することと、画像パッチを主成分である正規直交基底上に線形に投影することと、候補画像パッチの再構成を形成するために投影されたパッチを合計することとを含み得る。
【００６７】
いくつかの実施形態では、本明細書で使用される基底関数はまた、たとえばスパース辞書学習など、他の方法から取得され得、再構成は、多くの投影法のうちの１つ（たとえば、マッチング追跡）を介して学習済み辞書を用いて達成される。
【００６８】
図７Ａは、不織材サンプルに対する２０×２０のＰＣＡ画像パッチ辞書又は基底関数を示し、図７Ｂは、関連する不織材サンプルの原画像を示す。
【００６９】
図８Ａは、フレームエンボス加工ミラーフィルムに対する２０×２０のＰＣＡ画像パッチ辞書又は基底関数を示し、図８Ｂは、関連するフレームエンボス加工ミラーフィルムの原画像を示す。
【００７０】
材料サンプルを真贋判定するための上記で説明したシステム及び方法は、材料サンプルを組み込んでいる商品又は製品を真贋判定するために利用され得る。いくつかの実施形態では、材料のパッチが、試験対象物の可視表面内の所定の位置に組み込まれ得る。たとえば、試験対象物は、たとえば、コーヒーポッド抽出システム、汎用的なコーヒーポッド、動力式レスピレータ、使い捨てフィルタ、などを含む任意の使い捨て用品であり得る。材料のパッチは、実質的に同じ組成の、同じプロセスで製造された一群の材料から生じたものであり得る。すなわち、材料のパッチは、一群の材料と実質的に同じ組成を含有しており、一群の材料と実質的に同じプロセスによって製造されている。一群の材料に関する特有の特徴は、互いと異なるそれぞれの変動性を有する。
【００７１】
試験対象物を真贋判定するための例示的なプロセスでは、一群の材料の各々に対して１又は複数のデジタル画像が取り込まれ得る。材料の変動性は、取得されたデジタル画像から抽出され得る。複数の基底関数は、たとえば、主成分分析（ＰＣＡ）を使用することによって抽出された変動性に基づいて生成され得る。試験対象物に真贋判定が行われるとき、試験対象物中に所定の位置に組み込まれている材料のパッチに対するデジタル画像が、取り込まれ得る。材料のパッチに対するデジタル画像が、複数の基底関数のサブセットを使用することによって再構成され得る。いくつかの実施形態では、再構成に関する再構成誤差が評価され得、再構成誤差が所定の値より小さいとき、試験対象物は真正であると認定される。
【００７２】
いくつかの実施形態では、一群の材料は、たとえば、ミネソタ州セントポールの３Ｍ社から市販されている一群の多層光学フィルム、又は一群の不織材を含み得る。一群の多層光学フィルムは、たとえば、一群のフレームエンボス加工フィルム、ミラーフィルム、又は波長固有フィルタフィルムから選択され得る。
【００７３】
本明細書及び実施形態で使用される量又は成分、特性の測定値などを表す全ての数は、別途記載のない限り、全ての場合において「約」という用語によって修正されることを理解されたい。したがって、特に指示がない限り、前述の明細書及び添付の実施形態の列挙において示す数値パラメータは、本開示の教示を利用して当業者が得ようとする所望の特性に依存して変化しうる。最低でも、請求項記載の実施形態の範囲への均等論の適用を限定する試みとしてではなく、報告される有効桁の数に照らして、通常の四捨五入を適用することにより、各数値パラメータは少なくとも解釈されるべきである。
【００７４】
本開示の例示的な実施形態は、本開示の趣旨及び範囲を逸脱することなく、様々な修正及び変更を採ってもよい。したがって、本開示の実施形態は、以下に記述する例示の実施形態に限定されず、請求項及びそれと同等の任意のものに定められた制限によって支配されるものと理解されたい。
【００７５】
本開示の代表的な実施形態は、開示の趣旨及び範囲から逸脱することなく、様々な修正や変更が可能である。したがって、本開示の実施形態は、記述される例示の実施形態に限定されず、請求項及びそれと同等の任意のものに定められた制限によって支配されるものと理解されたい。
【００７６】
本明細書全体を通して、「一実施形態」、「特定の実施形態」、「１又は複数の実施形態」、又は「実施形態」への言及は、用語「実施形態」の前に、用語「例示的」が含まれているか否かに関わらず、その実施形態に関連して説明される特定の特徴、構造、材料、又は特性が、本開示の特定の例示的実施形態のうちの少なくとも１つの実施形態に含まれることを意味する。それゆえ、本明細書全体を通して、様々な箇所での「１又は複数の実施形態では」、「特定の実施形態では」、「一実施形態では」、又は「実施形態では」などの語句の出現は、必ずしも、本開示の特定の例示的実施形態のうちの、同じ実施形態に言及するものではない。更に、特定の特徴、構造、材料、又は特性は、任意の好適な方法で１つ又は複数の実施形態に組み合わされてもよい。
【００７７】
本明細書では、特定の例示的実施形態が詳細に説明されてきたが、当業者には、上述の説明を理解した上で、これらの実施形態の代替物、変更物、及び等価物を容易に想起することができる点が、理解されるであろう。したがって、本開示は、本明細書で上記された例示的実施形態に、過度に限定されるものではないことを理解されたい。特に、本明細書で使用するとき、端点による数値範囲の列挙は、その範囲内に包含される全ての数を含む（たとえば、１〜５は、１、１．５、２、２．７５、３、３．８０、４、及び５を含む）ことが意図される。更には、本明細書で使用される全ての数は、用語「約」によって修飾されるものと想定される。更に、種々の例示的な実施形態が説明されてきた。これらの実施形態及び他の実施形態は、以下の特許請求の範囲に含まれるものである。
【図１】
2018511029.tif 000003
【図２】
2018511029.tif 000004
【図３Ａ】
2018511029.tif 000005
【図３Ｂ】
2018511029.tif 000006
【図４Ａ】
2018511029.tif 000007
【図４Ｂ】
2018511029.tif 000008
【図４Ｃ】
2018511029.tif 000009
【図４Ｄ】
2018511029.tif 000010
【図５Ａ】
2018511029.tif 000011
【図５Ｂ】
2018511029.tif 000012
【図６Ａ】
2018511029.tif 000013
【図６Ｂ】
2018511029.tif 000014
【図７Ａ】
2018511029.tif 000015
【図７Ｂ】
2018511029.tif 000016
【図８Ａ】
2018511029.tif 000017
【図８Ｂ】
2018511029.tif 000018
【国際調査報告】
2018511029.tif 000019
2018511029.tif 000020
2018511029.tif 000021